(57)【要約】【課題】情報処理装置においてＰＣカード等が挿入された収納部を被うカバー部材を１動作で容易に、且つ取手を設けずに開くことができる収納部用カバー装置を提供する。【解決手段】収納部用カバー装置１０を、本体部１１に形成され且つＰＣカードを収納する収納部１１Ａを覆う起伏回動可能なカバー部材３０を有する構成とし、カバー部材３０の収納部１１Ａ側の面にシール部材３１と、回動端部に設けられ本体部１１と係合するカバー側係合部３２とを設け、本体部１１にカバー部材３０の面に沿ってスライドすると共にカバー側係合部３２と係合するスライド部材１５を設け、このスライド部材１５に、当該スライド部材１５が一方の方向にスライドしたときカバー側係合部３２と係合し、他方の方向にスライドしたときカバー部材３０を開口部１１Ｂの外方に押し出すスライド側係合部１２を設けた構成とした。【選択図】図４
2011008608.tif 000002
【特許請求の範囲】
【請求項１】
本体部に形成され且つ各種部品を収納する収納部の開口部を覆う起伏回動可能なカバー部材を有する収納部用カバー装置であって、
前記カバー部材の前記収納部側の面に設けられ前記開口部の縁部に密着するシール部材と、
前記カバー部材の前記収納部側の面で且つ回動端部に設けられ前記本体部と係合するカバー側係合部と、
前記本体部に設けられ前記カバー部材の面に沿ってスライドすると共に前記カバー側係合部と係合するスライド部材と、を備え、
このスライド部材には、当該スライド部材が一方の方向にスライドしたとき前記カバー側係合部と係合する第１の機能と、他方の方向にスライドしたとき前記カバー部材を前記開口部の外方に押し出す第２の機能とを備えたスライド側係合部が設けられていることを特徴とする収納部用カバー装置。
【請求項２】
請求項１に記載の収納部用カバー装置において、
前記カバー側係合部が、前記収納部側に突出すると共に突出された先端が前記他方の方向に突出した嘴状のカバー側ツメ部を有し、
このカバー側係合部の前記カバー側ツメ部に係合するスライド側ツメ部を前記スライド側係合部が有していることを特徴とする収納部用カバー装置。
【請求項３】
請求項１または請求項２に記載の収納部用カバー装置において、
前記カバー部材の前記収納部側の面には、前記収納部側に向かって突出すると共に前記スライド部材に押圧されて前記カバー部材を外方に向けて案内するガイド部材が設けられていることを特徴とする収納部用カバー装置。
【請求項４】
請求項３に記載の収納部用カバー装置において、
前記ガイド部材の前記スライド側係合部と係合する面を前記他方の方向に傾いた押圧傾斜面としたことを特徴とする収納部用カバー装置。
【請求項５】
請求項１ないし請求項４のいずれか一つに記載の収納部用カバー装置において、
前記スライド側係合部の前記カバー部材側の端面に前記スライド部材駆動用のレバー部を設け、
前記カバー部材に前記レバー部の突出およびスライドを許容する切除部を設けたことを特徴とする収納部用カバー装置。
【請求項６】
請求項１ないし請求項５のいずれか一つに記載の収納部用カバー装置において、
前記スライド部材に、前記スライド側係合部を前記カバー側係合部との係合位置に向けて常時付勢する付勢手段を設けたことを特徴とする収納部用カバー装置。
【請求項７】
請求項２ないし請求項６のいずれか一つに記載の収納部用カバー装置において、
前記嘴状カバー側ツメ部を、前記スライド方向に沿って一方側と他方側とに配置した第１、第２の固定ツメ部で構成し、
前記スライド側ツメ部を、前記第１、第２の固定ツメ部に対応する第１、第２の可動ツメ部で構成し、
前記ガイド部材を、前記第１、第２の可動ツメ部に対応して配置された第１、第２のガイド部により構成したことを特徴とする収納部用カバー装置。
【請求項８】
請求項１に記載の収納部用カバー装置において、
前記スライド側係合部の前記第２の機能を、一端部が前記スライド部材に固着され他端部が前記カバー部材と当接し且つ当該カバー部材を前記開口部の外方に押し出す方向に常時付勢する付勢手段により実現することを特徴とする収納部用カバー装置。
【請求項９】
請求項８に記載の収納部用カバー装置において、
前記付勢手段を板ばねで構成すると共に当該板ばねの一端が、前記スライド部材に設けられ且つ前記カバー部材側に向いたスライド突出部に固着され、
前記板ばねの他端が、前記カバー部材に設けられ且つ前記収納部側に突出したカバー突出部に係合されていることを特徴とする収納部用カバー装置。
【請求項１０】
請求項１に記載の収納部用カバー装置において、
前記スライド側係合部を、前記カバー部材の前記スライド部材側の面に装着した少なくとも一個の吸引磁石で構成すると共に、この吸引磁石に対向する吸引磁石および反発磁石からなる少なくとも２個の磁石を前記スライド部材に装着し、
この２個の磁石を、前記スライド部材が一方の方向にスライドしたとき前記吸引磁石同士が互いに引き合って係合し、他方の方向にスライドしたとき前記吸引磁石と反発磁石とが互いに反発し合って前記カバー部材を前記開口部の外方に押し出すように前記スライド方向に沿って配置したことを特徴とする収納部用カバー装置。
【請求項１１】
請求項１に記載の収納部用カバー装置において、
前記スライド側係合部を、前記スライド部材の前記カバー部材側の面に装着した少なくとも一個の吸引磁石で構成すると共に、この吸引磁石に対向する吸引磁石および反発磁石からなる少なくとも２個の磁石を前記カバー部材に装着し、
この２個の磁石を、前記スライド部材が一方の方向にスライドしたとき前記吸引磁石同士が互いに引き合って係合し、他方の方向にスライドしたとき前記吸引磁石と反発磁石とが互いに反発し合って前記カバー部材を前記開口部の外方に押し出すように前記スライド方向に沿って配置したことを特徴とする収納部用カバー装置。
【発明の詳細な説明】
【技術分野】
【０００１】
本発明は、収納部用カバー装置に関し、より詳しくは、例えばノートパソコンに使用するＰＣカード等を装着するために当該ノートパソコンの内部に設けられた収納部を、防塵防水機能を有するカバー部材で覆うと共に、そのカバー部材を１動作で開くことができる収納部用カバー装置に関する。
【背景技術】
【０００２】
近年、ノートパソコン等の携帯型の情報処理装置の普及が著しい。この情報処理装置を構成する携帯型のコンピュータでは、本体と表示部とを備え、表示部が本体に対して開閉可能に構成されている。
【０００３】
携帯型のコンピュータにおいて、表示部と本体との開閉機構として、表示部を本体にロックすることができると共に両者の開閉を確実に検出できるように構成した情報処理装置が知られている（例えば、特許文献１参照）。
この特許文献１に開示された情報処理装置は、表示部にロック用のツメが設けられ、本体にそのツメに対応するスライドレバーが設けられている。そして、スライドレバーをスライドさせることでツメとの係合が外れ、表示部を開くように構成されている。
【０００４】
また、表示部を保護するためにカバーを設けた携帯電子機器も知られている（例えば、特許文献２参照）。
この特許文献２に開示された携帯電子機器では、ロックボタンを操作した後、カバーを開くように構成されている。
【０００５】
以上に述べた特許文献１、特許文献２にそれぞれ開示された情報処理装置、および携帯電子機器では、本体に対して表示部全体が開閉するようになっている。そのため、例えば表示部の本体との対向面にシーリング部材等を設けて防塵防滴機能を持たせるような構成とはなっておらず、また不要であった。
これに対して、フレームと防塵マスクカバーとの間にスポンジを介在させた外付け開閉防塵カバー構造が知られている（例えば、特許文献３参照）。
この外付け開閉防塵カバー構造は、ＯＡ機器のフロッピーディスクユニット（フロッピーは登録商標です）のフロッピーディスク挿入口を塞ごうとするものである。
【０００６】
ところで、例えばノートパソコンで使用されるＰＣカードは、そのノートパソコンの内部に構成された収納部に交換自在に差し込まれるようになっている。そして、上記のような収納部には防塵防滴機能が盛り込まれたカバー部材が被せられている。
このようなカバー部材の裏面には、防塵防滴用のシール部材が設けられており、このシール部材が、ノートパソコン等の本体側の縁部に当接し、これにより、両者が密閉するような構造とされ、防塵防滴機能が作用するようになっている。
【先行技術文献】
【特許文献】
【０００７】
【特許文献１】特開２０００−０２０１６２号公報
【特許文献２】特開平１１−２３７９３０号公報
【特許文献３】公開実用平成３−５４０２５号公報
【発明の概要】
【発明が解決しようとする課題】
【０００８】
しかし、前記特許文献１に開示された情報処理装置では、表示部を開く際には、本体に設けられたスライドレバーをスライドして表示部を開いた後、操作者が手で表示部を開くため、２つの動作が必要であり、操作性が悪いという問題があった。また、表示部と本体との対向面には、シール部材は不要であるため設けられていない。
【０００９】
前記特許文献２に開示された携帯電子機器では、本体に設けられたロックボタンとカバーに設けられたロックノブとの係合を解除した後、特許文献１に開示された情報処理装置と同様に、操作者が手でカバーを開くため、２つの動作が必要であり、操作性が悪いという問題があった。この携帯電子機器でも、表示部と本体との対向面には、シール部材は不要であるため設けられていない。
【００１０】
さらに、前記特許文献３に開示された外付け開閉防塵カバー構造では、シール部材を構成する部材がスポンジであるため、水分の浸入を防ぐことはできないという問題がある。
【００１１】
また、ＰＣカード等が差し込まれて収納されるノートパソコン等の収納部を被うカバー部材の構造では、シール部材を本体部の縁部に強く押し付けて防塵防滴機能を持たせている。そのため、長期間カバー部材を閉状態で放置しておくと、シール部材と本体部の縁部とが密着し、カバー部材が開けなくなるおそれがある。
【００１２】
そのため、例えば、図１６に示すように、収納部用カバー装置１２０では、カバー部材１３０の外側に取手１３１を突出させて設け、カバー部材１３０を開ける際に取手１３１を掴んで開くという２段階の動作が必要であった。
【００１３】
また、カバー部材１３０を開く為の取手１３１を付加すると、装置から飛出すタイプのＰＣカード（通信カード等）１００を装着し、装置から飛出した状態で、ノートパソコンを机上に置いて使用する場合、カバー部材１３０を開いた際に取手１３１が出っ張っている分だけ装置の厚さ寸法Ｔ２を厚くしなければならない。そのため、机上からキーボード面までの高さが高くなり、キーボード等の操作性が悪くなっている。
【００１４】
さらに、取手１３１を用いてカバー部材１３０を開く装置では、取手１３１が破損してしまうとカバー部材１３０を開き難くなったり、または開くことが出来なくなることもある。カバー部材１３０を開くことが出来なくなった場合、カバー部材１３０を取替えなければならず、その期間はノートパソコンを使用することもできず、また、経費の面でも損失が生じる。
【００１５】
そこで、本発明の目的は、上述した各課題を解決するために、ノートパソコン等の携帯型情報処理装置においてＰＣカード等が挿入された収納部を被うカバー部材を１動作で容易に、且つ取手を設けずに開くことができる収納部用カバー装置を提供することにある。
【課題を解決するための手段】
【００１６】
本発明の収納部用カバー装置は、本体部に形成され且つ各種部品を収納する収納部の開口部を覆う起伏回動可能なカバー部材を有する収納部用カバー装置であって、前記カバー部材の前記収納部側の面に設けられ前記開口部の縁部に密着するシール部材と、前記カバー部材の前記収納部側の面で且つ回動端部に設けられ前記本体部と係合するカバー側係合部と、前記本体部に設けられ前記カバー部材の面に沿ってスライドすると共に前記カバー側係合部と係合するスライド部材と、を備え、このスライド部材には、当該スライド部材が一方の方向にスライドしたとき前記カバー側係合部と係合する第１の機能と、他方の方向にスライドしたとき前記カバー部材を前記開口部の外方に押し出す第２の機能とを備えたスライド側係合部が設けられていることを特徴とする。
【発明の効果】
【００１７】
本発明の収納部用カバー装置は、以上のように構成されているので、これによれば、カバー側係合部と係合している状態からスライド部材を他方の方向にスライドさせると、カバー部材が、スライド側係合部により開口部の外方に押し出される。その結果、ＰＣカード等が挿入された収納部を被うカバー部材を１動作で容易に開くことができる。また、スライド部材をスライドさせるだけでカバー部材を開くことができるので、カバー部材にそのカバー部材を開くための取手を設けなくてもすむ。
【図面の簡単な説明】
【００１８】
【図１】本発明に係る収納部用カバー装置の第一実施形態を示しカバー部材が閉じられた状態を示す部分斜視図である。
【図２】図１の状態からカバー部材が開けられた状態を示す斜視図である。
【図３】前記第一実施形態の収納部用カバー装置において本体部の表カバーを外した状態を示す平断面図である。
【図４】前記第一実施形態の要部を示し本体部のスライド側ツメ部とカバー部材のカバー側ツメ部との係合状態が解除された状態を示す平断面図である。
【図５】前記第一実施形態の要部を示し本体部のスライド側ツメ部によりカバー部材のガイド部が開かれる状態を示す平断面図である。
【図６】前記第一実施形態の収納部用カバー装置のカバー部材を示す正面図である。
【図７】図６のVII矢視図で本体部の表カバーを外した状態を示し、図７（Ａ）はカバー部材が閉じられた状態を示す図、図７（Ｂ）はカバー部材が開かれる途中の状態を示す図である。
【図８】図８（Ａ）は図７（Ｂ）の状態からさらに進みカバー部材が開かれる状態を示す図であり、図８（Ｂ）は図８の（Ａ）のＳ矢視図である。
【図９】前記第一実施形態の収納部用カバー装置において装置から出張るタイプのＰＣカードが挿入された状態を示す部分縦断面図である。
【図１０】本発明に係る収納部用カバー装置の第二実施形態のカバー部材を示す正面図である。
【図１１】図１０におけるXI−XI線に沿った断面図で本体部の表カバーを外した状態を示し、図１１（Ａ）はカバー部材が閉じられている状態、図１１（Ｂ）はカバー部材が開けられる途中の状態をそれぞれ示す平断面図である。
【図１２】前記第二実施形態の本体部とカバー部材との係合状態を詳細に示し、図１２（Ａ）は板ばねとカバー部材のリブとが係合している状態、図１２（Ｂ）は板ばねとカバー部材のリブとの係合が解除されカバー部材が押し出される状態をそれぞれ示す縦断面の模式図である。
【図１３】本発明に係る収納部用カバー装置の第三実施形態のカバー部材を示す正面図である。
【図１４】図１３におけるXIV矢視図で本体部の表カバーを外した状態を示し、図１４（Ａ）はカバー部材が閉じられている状態、図１４（Ｂ）はカバー部材が開けられる途中の状態をそれぞれ示す平断面図であり、図１４（Ｃ）は図１４（Ｂ）のＳ矢視図である。
【図１５】前記第三実施形態の要部を模式的に示し、図１５（Ａ）はカバー部材が閉じられている状態、図１５（Ｂ）はカバー部材が開けられた状態をそれぞれ示す縦断面である。
【図１６】従来の収納部に装置から出張るタイプのＰＣカードが挿入された状態を示す部分縦断面図である。
【発明を実施するための形態】
【００１９】
以下に、図１〜図８を参照して、本発明に係る収納部用カバー装置１０の第一実施形態を詳細に説明する。
【００２０】
図１、図２に示すように、本実施形態の収納部用カバー装置１０は、例えばノートパソコンの本体部１１に形成され内部にＰＣカード１００等の各種部品を収納する収納部１１Ａをカバー部材３０で覆う構成とし、そのカバー部材３０を、スライド部材である開閉スライダー１５を矢印Ａで示す一方の方向にスライドしたときカバー部材３０と係合し、矢印Ｂで示す他方の方向にスライドしたときカバー部材３０を開口部１１Ｂの外方に押し出すように構成したものである。すなわち、開閉スライダー１５をスライドさせるだけの１動作で、容易に開けることができるように構成したものである。
【００２１】
カバー部材３０は、本体部１１に設けられた開閉スライダー１５のレバー部１５Ａを、図１の矢印Ａ方向に沿ってスライドさせることで、図２に示すように、スライド方向と直交する矢印Ｂで示す開き方向に開くようになっている。そして、上記カバー部材３０に対応して収納部１１Ａが本体部１１に形成されている。この収納部１１Ａには、各種部品である例えばＰＣカード１００が収納されるようになっている。
そして、カバー部材３０は、本体部１１に回動自在なヒンジ部３０Ａを介して開閉自在に取付けられている。
【００２２】
ここで、ＰＣカードとは、日米協調して規格統一を行ったパソコン用小型カード型インターフェース、およびその規格による拡張カードであり、主に、ノートパソコンや小型の省スペース型デスクトップパソコンで利用されている。
また、ＰＣカードとしては、リニアフラッシュメモリ等のストレージ系、携帯電話・ＰＨＳデータ通信カード等のシリアル系、ＳＣＳＩ、プリンタポート等のインターフェース系、イーサネット（登録商標）、無線ＬＡＮ等のネットワーク系、ワンセグチューナー等のマルチメディア系を挙げることができる。
【００２３】
カバー部材３０の裏面には、防塵、防滴用のシール部材３１が装着されており、このシール部材３１は、上記収納部１１Ａを形成する開口部１１Ｂの縁部１１Ｃの全周に密着可能となっている。
ＰＣカード１００の上記収納部１１Ａ内への収納方法は、図２に示すように、収納部１１Ａ内に形成されている挿入口１１Ｄから所定のＰＣカード１００を差し込んで行われている。
【００２４】
上記カバー部材３０の裏面には、図２、図３等に示すように、収納部１１Ａを構成する開口部１１Ｂの縁部１１Ｃに密着する前記シール部材３１が、取付け板３８を介して接着等で固着されている。また、カバー部材３０を本体部１１に係合可能とするカバー側ツメ部であるカバー側係合部３２が設けられている。
【００２５】
さらに、カバー部材３０には、跡に詳細を説明するスライド側係合部１２とカバー側係合部３２との係合解除後にカバー部材３０を収納部１１Ａに対して開く方向にガイドするガイド部材３５が設けられている。
【００２６】
以上のようなカバー部材３０は、図１に示すように、その下部に設けられた回動自在なヒンジ部３０Ａを介して本体部１１に開閉自在に取付けられている。
前記シール部材３１は、前述のように開口部１１Ｂの縁部１１Ｃに沿った形状とされ、且つ縁部１１Ｃに密着するようになっている。シール部材３１はカバー部材３０と一体的に形成された取付け板３８に、前述のように接着等で固着されている。
【００２７】
前記カバー側係合部３２は、図３、図４に詳細を示すように、カバー部材３０の裏面、つまり収納部１１Ａ側の面に設けられ、矢印Ｂで示す他方の方向に沿って所定間隔で設けられた第１固定ツメ部３３と第２固定ツメ部３４とで構成されている。これらの第１、第２固定ツメ部３３，３４は、カバー部材３０の裏面から収納部１１Ａ側に向かって突出形成されると共に、上記他方の方向（図４，５では左側）に向かって延びたツメ先３３Ａ，３４Ａをそれぞれ有している。
【００２８】
また、各ツメ先３３Ａ，３４Ａの収納部１１Ａ側の面には、収納部１１Ａ側からカバー部材３０側に向かって低くなる傾斜面３３Ｂ，３４Ｂが形成されている。
【００２９】
第１、第２固定ツメ部３３，３４は、それぞれ、図３に示すように、前記ヒンジ部３０Ａの反対側端部で前記シール部材３１の外側に設けられている。そして、各固定ツメ部３３，３４におけるカバー部材３０の裏面からの突出寸法は、前記取付け板３８に装着されたシール部材３１の突出寸法よりわずかに大きな寸法となっている。
【００３０】
カバー部材３０の各固定ツメ部３３，３４においてツメ先３３Ａ，３４Ａの近傍には、それぞれカバー部材３０の裏面から固定ツメ部３３，３４と同一方向に突出した第１ガイド部３６、第２ガイド部３７が形成されている。これらのガイド部３６，３７は、上記各固定ツメ部３３，３４より小さな寸法で突出している。
また、ガイド部３６，３７において収納部１１Ａ側の面には、収納部１１Ａ側からカバー部材３０のツメ先３３Ａ，３４Ａ側裏面に向かって低くなる傾斜面３６Ａ，３７Ａがそれぞれ形成されている。これにより、前記スライド側係合部１２がスライドしやすくなり、且つスライドすることで、カバー部材３０を外方に押し出すようになっている。
そして、両ガイド部３６，３７により前記ガイド部３５が構成されている。
【００３１】
カバー部材３０において第１固定ツメ部３３と第２固定ツメ部３４との間で、且つ第１固定ツメ部３３寄りに切除部３０Ｂ（図６等参照）が形成されている。この切除部３０Ｂは、上記スライド側係合部１２を構成する開閉スライダー１５のレバー部１５Ａがスライドできるように形成されたものである。言い換えれば、開閉スライダー１５は切除部３０Ｂの範囲内でのみスライドできるようになっている。
【００３２】
以上のような構成のカバー部材３０に対して、本体部１１には、カバー部材３０を開閉可能とする前記スライド側係合部１２が設けられている。このスライド側係合部１２は、当該スライド側係合部１２を上記カバー側係合部３２側にスライドしたとき相互にカバー側係合部３２と係合し合い、またカバー側係合部３２から離れる方向にスライドしたときそのカバー側係合部３２との係合状態を解除できるようになっている。
【００３３】
すなわち、図３〜５等に示すように、スライド側係合部１２は本体部１１に設けられ、矢印Ａ方向に沿ってスライド自在なスライド部材である前記開閉スライダー１５を備えて構成されている。この開閉スライダー１５は、前記収納部１１Ａにおいて本体部１１の上蓋の裏面側に配置されており、本体部１１の図示しない部位にねじ込み固定されたネジ部材１６を介してスライド自在に支持されている。
【００３４】
開閉スライダー１５は、所定厚さのプレート部材で略長方形に形成され、その長さ方向、つまりスライド方向の中央部に所定寸法の幅と長さの切欠き部１５Ｂが形成されている。この切欠き部１５Ｂは、開閉スライダー１５においてカバー部材３０とは反対側の端部に形成されている。
【００３５】
開閉スライダー１５のカバー部材３０側の端面には、前記カバー側ツメ部１２に係合し、または係合を解除する嘴状の前記スライド側ツメ部１２が設けられている。
スライド側ツメ部１２は、第１、第２可動ツメ部１３，１４で構成され、これらの第１、第２可動ツメ部１３，１４は、前記第１、第２固定ツメ部３３，３４に係合可能になっている。
すなわち、第１可動ツメ部１３はツメ先端１３Ａを有し、上記切欠き部１５Ａを挟んで一方側のスライド部に設けられ、ツメ先端１３Ａの裏面が第１固定ツメ部３３のツメ先端３３Ａの裏面と係合可能となっている。
【００３６】
第１可動ツメ部１３におけるツメ先端１３Ａのカバー部材３０側の面には、先端部から前記ガイド部材３５に向かって傾斜する傾斜面１３Ｃ（図４，５参照）が形成されている。また、第１可動ツメ部１３の後端部１３Ｂは大きな寸法で面取り加工され、カバー部材３０に設けられた前記各ガイド部３６，３７の傾斜面３６Ａ，３７Ａと係合し、それらのガイド部３６，３７を収納部１１Ａ側の外方に押し出しやすいようになっている。つまり、ガイド部３６，３７があることで、開閉スライダー１５をスライドさせるだけの１動作で、カバー部材３０を容易に開くことができる。
なお、第１可動ツメ部１３の後端部１３Ｂはアール加工でもよい。
【００３７】
前記第２可動ツメ部１４は、上記第１可動ツメ部１３と構成は全く同じであるが、開閉スライダー１５の前記切欠き部１５Ａを挟んだ他方側に設けられている。そして、第２可動ツメ部１４は第２固定ツメ部３４と係合し合い、または係合を解除できるようになっている。
【００３８】
開閉スライダー１５の第１可動ツメ部１３と第２可動ツメ部１４との間には、開閉スライダー１５をスライドさせる際に操作者が指で摘むレバー部１５Ａが設けられている。レバー部１５Ａは、開閉スライダー１５の上記切欠き部１５Ｂの反対側の側端面にネジ止め等で固定され、且つ収納部１１Ａにカバー部材３０が被せられたとき、そのカバー部材３０の表面から外側に突出している。
また、レバー部１５Ａは、前述のように、カバー部材３０の切除部３０Ｂの範囲内でスライドできるようになっている。
【００３９】
開閉スライダー１５の切欠き部１５Ａを挟んだ一方側部位および他方側部位には、スライド方向に沿った長孔１５Ｄ，１５Ｄがそれぞれ形成されている。そして、これらの長孔１５Ｄ，１５Ｄに前記ネジ部材１６が取り付けられている。
【００４０】
開閉スライダー１５の切欠き部１５Ａを挟んだ他方側部位において切欠き部１５Ｂに臨む側面には、スライド方向に沿い、且つ他方側部位側に延びたバネ取付け部材１９が固着されている。このバネ取付け部材１９の先端は、本体部１１に形成された支持部１１Ｅに支持されている。
【００４１】
バネ取付け部材１９の外周には圧縮コイルスプリング２０が装着されている。このコイルスプリング２０は、上記支持部１１Ｅと一方側部位の一側面とにわたって設けられており、開閉スライダー１５を常時前記一方側（図３において右側）に付勢するようになっている。
【００４２】
したがって、開閉スライダー１５は、カバー部材３０が収納部１１Ａに被せられているときはコイルスプリング２０の付勢力により右側に押付けられ、開閉スライダー１５の第１、第２可動ツメ部１３，１４が、カバー部材３０の第１、第２固定ツメ部３３，３４と係合し合っている。
【００４３】
これに対して、開閉スライダー１５のレバー部１５Ａを、矢印Ｂで示す他方の方向にスライドさせると、コイルスプリング２０の付勢力に抗して開閉スライダー１５が移動し、これにより、開閉スライダー１５の第１、第２可動ツメ部１３，１４と、カバー部材３０の第１、第２固定ツメ部３３，３４との係合状態が解除される。
【００４４】
係合状態の解除後、さらにレバー部１５Ａを左側にスライドさせると、開閉スライダー１５の第１、第２可動ツメ部１３，１４が、カバー部材３０の第１、第２ガイド部３６，３７を押し出しながらスライドし、これにより、カバー部材３０の第１、第２ガイド部３６，３７、ひいてはカバー部材３０そのものが矢印Ｃに沿って外方に押し出される。
同時に、密着され且つ潰れた状態のシール部材３１に元の状態に戻ろうとする材料自身の復帰力が作用し、その結果、カバー部材３０が開かれるようになる。
【００４５】
次に、図７、図８に基づいて前記第１実施形態の収納部用カバー装置１０の動作を説明する。なお、図７、図８等の動作を示す図には、コイルスプリング２０は省略してある。
図７（Ａ）に示すように、カバー部材３０が完全に閉じている状態では、カバー部材３０の第１、第２固定ツメ部３３，３４に、開閉スライダー１５の第１、第２可動ツメ部１３，１４が差し込まれて係合しており、カバー部材３０と本体部１１とはロック状態である。
【００４６】
この状態から、操作者は、図７（Ｂ）に示すように、開閉スライダー１５のレバー部１５Ａを掴んで矢印Ａ方向に沿ってスライドさせる。そうすると、開閉スライダー１５の第１、第２可動ツメ部１３，１４が、カバー部材３０の第１、第２固定ツメ部３３，３４から外れ、カバー部材３０と開閉スライダー１５との係合状態が解除される。そして、それと略同時に、開閉スライダー１５の第１、第２可動ツメ部１３，１４の後端部１３Ｂ，１４Ｂが、それぞれ、カバー部材３０の第１、第２ガイド部３６，３７と接触し始めるようになる。
【００４７】
図７（Ｂ）の状態から、開閉スライダー１５をさらに矢印Ｂ方向に沿って最大限スライドさせる。そうすると、開閉スライダー１５の第１、第２可動ツメ部１３，１４の後端部１３Ｂ，１４Ｂが、カバー部材３０の第１、第２ガイド部３６，３７を押し出しながら移動していくため、図８（Ａ）に示すように、カバー部材３０が矢印Ｃ方向に押し出され、その結果、図８（Ｂ）に示すように、カバー部材３０が開く。
その時に、本体部１１の縁部１１Ｃに潰されていたカバー部材３０のシール部材３１が元の形状に戻ろうとする材料自体が持つ復元力も作用して本体部１１の縁部１１Ｃを押すことで、カバー部材３０が完全に開くようになる。
【００４８】
以上に説明したように、開閉スライダー１５の第１、第２可動ツメ部１３，１４は、カバー部材３０の第１、第２固定ツメ部３３，３４と係合する第１の機能と、第１、第２固
定ツメ部３３，３４との係合状態が解除された後、第１、第２ガイド部３６，３７と接触し、カバー部材３０を外方に押し出す第２の機能とを有していることになる。
【００４９】
以上のような構成の収納部のカバー装置１０において、カバー部材３０を閉じないで使用する場合を、図９に基づいて説明する。
この場合、ＰＣカード１００が、本体部１１の収納部１１Ａに収納されたとき、カバー部材３０を閉じることができない大きさのもの、つまり装置から出張るタイプのＰＣカード１００が使用されたときである。
そして、カバー部材３０が開かれた状態で使用されるとき、カバー部材３０の厚さ寸法はＴ１となっている。
【００５０】
本第１実施形態の収納部のカバー装置１０は、以上のように構成されているので、次に述べるような効果を得ることができる。
【００５１】
（１）開閉スライダー１５をスライドさせると、開閉スライダー１５の第１、第２可動ツメ部１３，１４が、カバー部材３０の第１、第２固定ツメ部３３，３４から外れ、カバー部材３０と開閉スライダー１５との係合状態が解除される。同時に、開閉スライダー１５の第１、第２可動ツメ部１３，１４の後端部１３Ｂ，１４Ｂが、カバー部材３０の第１、第２ガイド部３６，３７を押し出しながら移動するため、カバー部材３０が矢印Ｂ方向に押し出される。その結果、カバー部材３０を１動作で容易に開くことができる。
【００５２】
（２）開閉スライダー１５をスライドさせるだけの１動作でカバー部材３０を容易に開くことができ、片手での操作が可能となり、これにより、操作性が向上する。
【００５３】
（３）開閉スライダー１５にはレバー部１５Ａが設けられ、そのレバー部１５Ａを摘んでスライド方向に移動させるだけで開閉スライダー１５をスライドさせ、カバー部材３０を開くことができる。レバー部１５Ａはカバー部材３０が閉じられている際は、カバー部材３０の外側に突出しているが、カバー部材３０のみが開かれるので、カバー部材３０には突出部がない状態である。そのため、カバー部材３０に取手が不要となり、その取手分の厚みを薄くでき、これにより、キーボード等の操作性が向上する。
【００５４】
（４）カバー部材３０に第１、第２ガイド部３６，３７が設けられ、開閉スライダー１５がスライドすると、第１、第２可動ツメ部１３，１４の後端部１３Ｂ，１４Ｂが、カバー部材３０の第１、第２ガイド部３６，３７を押し出すため、カバー部材３０を確実にポップアップさせることができ、これにより、本体部１１の縁部１１Ｃに密着したシール部材３１を剥がすことができる。
【００５５】
（５）カバー部材３０を閉じると、カバー部材３０のシール部材３１が、本体部１１の縁部１１Ｃに押し潰されるため、カバー部材３０のシール部材３１の内側への水または埃等の浸入を防ぐことが出来る。その結果、エンドユーザーが使用できる環境を増加させることが可能となる。
【００５６】
（６）開閉スライダー１５にはバネ取付け部材１９を介して圧縮コイルスプリング２０が装着され、開閉スライダー１５は圧縮コイルスプリング２０により常時一方側に付勢されているので、カバー部材３０が開いた後、自動的に初期位置に戻すことができる。
【００５７】
（７）カバー部材３０における第１、第２固定ツメ部３３，３４のツメ先端３３Ａ，３４Ａの外側には傾斜面３３Ｂ，３４Ｂが形成され、第１、第２可動ツメ部１３，１４のツメ先端１３Ａ，１４Ａには、傾斜面３３Ｂ，３４Ｂに対向可能な傾斜面１３Ｃ，１４Ｃがそれぞれ形成されているので、カバー部材３０が開かれた後、初期位置に戻っている開閉スライダー１５に対してカバー部材３０を閉じると、第１、第２固定ツメ部３３，３４の傾斜面３３Ｂ，３４Ｂに、第１、第２可動ツメ部１３，１４の傾斜面３３Ｂ，３４Ｂが押されて後退し、カバー部材３０の第１、第２固定ツメ部３３，３４と第１、第２可動ツメ部１３，１４とが係合する。その結果、開かれた後のカバー部材３０を１動作で容易に閉じることができる。
【００５８】
（８）開閉スライダー１５の第１、第２可動ツメ部１３，１４は、一つの部材で、カバー部材３０の第１、第２固定ツメ部３３，３４と係合する第１の機能と、第１、第２固定ツメ部３３，３４との係合状態が解除された後、第１、第２ガイド部３６，３７と接触し、カバー部材３０を外方に押し出す第２の機能とを有しているので、それぞれの機能を生じるように別部材を設けなくてもすみ、これにより、部材の省略化を図ることができる。
【００５９】
次に、図１０〜図１２に基づいて本発明の収納部用カバー装置の第２実施形態を説明する。
本第２実施形態の収納部用カバー装置４０は、前記第１実施形態のスライド側係合部１２における前記第２の機能を、一端部がスライド部材１５に固着され他端部がカバー部材３０と当接し、且つ当該カバー部材３０を前記開口部１１Ｂの外方に押し出す方向に常時付勢する付勢手段である板ばね４５により実現したものである。
すなわち、収納部用カバー装置４０は、前記第１実施形態のカバー部材３０に設けた第１、第２ガイド部３６，３７の代わりに、本体部１１側に第１、第２ボス４１，４２を設け、これらの第１、第２ボス４１，４２に、それぞれ板ばね４５，４５を取付け、各板ばね４５，４５がカバー部材３０の第１、第２リブ４３，４４を押すことで、そのカバー部材３０を開くことができるように構成したものである。
【００６０】
なお、本第２実施形態の収納部用カバー装置４０では、本体部１１に設けられた第１、第ボス４１，４２と、これらの第１、第ボス４１，４２に取付けた板ばね４５，４５と、カバー部材３０の第１、第２リブ４３，４４の構造、および第１実施形態のカバー部材３０のガイド部材２６，２７が設けられていない点が、前記第１実施形態と異なるのみで、他の構成は第１実施形態と同一である。
【００６１】
したがって、第１実施形態と同一の部材、構成には、同一符号を付し、異なる部材のみを詳細に説明する。なお、異なる部材には符号４０番台を付してある。
そして、第２実施形態と第１実施形態のカバー部材３０および本体部１１は、第１、第２リブ４３，４４が設けられている点、第１、第２ボス４１，４２が設けられている点等、厳密には形状が異なっているが、本実施形態では同一符号を付して説明する。
【００６２】
図１１（Ａ）、（Ｂ）に示すように、カバー部材３０の前記第１、第２固定ツメ部３３，３４の互いの外側領域に、カバー部材３０の裏面から収納部１１Ａ側に突出した前記第１、第２リブ４３，４４が設けられている。
上述のように、第１ボス４１と第１リブ４３との間および第２ボス４２と第２リブ４４との間には、それぞれ板ばね４５が架けわたされている。
次に、上記各関係の詳細を図１２（Ａ）、（Ｂ）に基づいて説明する。
この図１２（Ａ）、（Ｂ）では、第２ボス４２と、第２リブ４４と、それらの間に架けわたされた板ばね４５との構造を示しているが、第１ボス４１と第１リブ４３とそれらの間に架けわたされた板ばね４５との構造も略同様である。ただし、第１リブ４３と第２リブ４４とは、それぞれ第１ボス４１と第２ボス４２との内側に配置されている。つまり、板ばね４５の向きが反対方向となっている点は異なっている。
第２リブ４４は、略角柱状に形成されており、その上端面は所定角度の傾斜面４４Ａとなっている。
【００６３】
これに対して、前記開閉スライダー１５には、上記第２リブ４４の外側位置に第２ボス４２が設けられている。第２ボス４２は、開閉スライダー１５において本体部１１の収納部１１Ａからカバー部材３０側に所定寸法突出して設けられている。
第１、第２ボス４１，４２の先端部の端面には、それぞれ前記板ばね４５が取付けられている。これらの板ばね４５の先端部４５Ａは、開閉スライダー１５のスライド方向に沿うような形状で折り曲げられている。そして、この先端部４５Ａが、上記第２リブ４４の傾斜面４４Ａと当接するように設定されている。
【００６４】
ここで、図１２（Ａ）に示すように、カバー部材３０が完全に閉じた状態のときは、板ばね４５が第２リブ４４に押されて撓んでいるため、板ばね４５と第１ボス４１との取付け角度はα１°であり、開閉スライダー１５がスライドし、図１２（Ｂ）に示すように、板ばね４５のバネ力によりカバー部材３０が矢印Ｃ方向に押し出され、完全に開いた状態のときは、板ばね４５と第１ボス４１との取付け角度はα２°である。
【００６５】
次に、図１１、図１２に基づいて前記第２実施形態の収納部用カバー装置４０の動作を説明する。
【００６６】
まず、図１１（Ａ）に示すように、カバー部材３０が完全に閉じている状態では、カバー部材３０の第１、第２固定ツメ部３３，３４に、開閉スライダー１５の第１、第２可動ツメ部１３，１４が差し込まれて係合しており、カバー部材３０は閉じられている状態である。
このとき、図１２（Ａ）に示すように、板ばね４５は、第１ボス４１と第１リブ４３の傾斜面４３Ａとに架けわたされた状態である。なお、第２ボス４２と第２リブ４４との間でも同様である。
【００６７】
この状態から、操作者は、図１１（Ｂ）に示すように、開閉スライダー１５のレバー部１５Ａを掴んで矢印Ｂで示す他方の方向に沿ってスライドさせる。そうすると、開閉スライダー１５の第１、第２可動ツメ部１３，１４が、カバー部材３０の第１、第２固定ツメ部３３，３４から外れ、カバー部材３０と開閉スライダー１５との係合状態が解除される。
【００６８】
このとき、図１２（Ｂ）に示すように、開閉スライダー１５の第２ボス４２に装着された板ばね４５の先端部４５Ａ、ひいてはその板ばね４５がカバー部材３０の第２リブ４４の傾斜面４４Ａ、ひいてはそのカバー部材３０を、当該カバー部材３０が収納部１１Ａから離れる方向に押し、これによりカバー部材３０が開かれる。
【００６９】
本第２実施形態の収納部用カバー装置４０は、以上のように構成されているので、前記第１実施形態の（１）〜（３）、（５）〜（８）と略同様の効果を得ることができる。
【００７０】
次に、図１３〜図１５に基づいて本発明の収納部用カバー装置の第３実施形態を説明する。
【００７１】
本第３実施形態の収納部用カバー装置５０は、前記第１実施形態のスライド側係合部１２の第１、第２の機能を、カバー部材３０の開閉スライダー１５側の面に装着した吸引磁石としての第１、第２カバー側磁石５１，５２と、開閉スライダー１５に、前記第１、第２カバー側磁石５１，５２に対向する吸引磁石および反発磁石からなる第１、第２スライド側磁石５３，５４を設けることで持たせるようにしたものである。
そして、第１、第２スライド側磁石５３，５４は、開閉スライダー１５が一方の方向にスライドしたとき、吸引磁石同士が互いに引き合って係合し、他方の方向にスライドしたとき吸引磁石と反発磁石とが互いに反発し合ってカバー部材３０を開口部１１Ｂの外方に押し出すようにスライド方向に沿って配置されている。
【００７２】
なお、本第３実施形態の収納部用カバー装置５０では、カバー部材３０に第１、第２カバー側磁石５１，５２、開閉スライダー１５に第１、第２スライド側磁石５３，５４を、それぞれを設けた構成のみが、前記第１実施形態と異なるのみで、他の構成は第１実施形態と同一である。したがって、第１実施形態と同一の部材、構成には、同一符号を付し、異なる部材のみを詳細に説明する。なお、異なる部材には符号５０番台を付してある。
そして、第３実施形態と第１実施形態のカバー部材３０、および本体部１１とでは、厳密には形状が異なっているが、本実施形態では同一符号を付して説明する。
【００７３】
さらに詳述すると、前記カバー部材３０の収納部１１Ａ側の面に、Ｎ極およびＳ極のいずれかの極性が収納部１１Ａ側に向いた第１、第２カバー側磁石５１，５２が設けられ、開閉スライダー１５のカバー部材３０側の端部に、上記各カバー側磁石５１，５２に対応する第１、第２スライド側磁石５３，５４が設けられている。
【００７４】
これらの第１、第２スライド側磁石５３，５４は、第１、第２カバー側磁石５１，５２の極性と互いに引き合い、カバー部材３０が閉じるように極性が配置された第１磁石５３Ａ，５４Ａと、いずれかの極性と互いに反発し合いカバー部材３０が外方に押し出されるように極性が配置された第２磁石５３Ｂ，５４Ｂとで構成されている。そして、これらの第１磁石５３Ａ，５４Ａ、および第２磁石５３Ｂ，５４Ｂは、矢印Ａ，Ｂで示す一方の方向および他方の方向に沿って設けられている。
【００７５】
カバー部材３０の収納部１１Ａ側の面には、図１５（Ａ）、（Ｂ）に示すように、第１、第２カバー側磁石５１，５２が設けられている。各カバー側磁石５１，５２は、収納部１１Ａ側に突出しておりその先端部の極性がＮ極となっている。
これに対して、開閉スライダー１５のカバー部材３０側の端面には、前述のように、第１、第２スライド側磁石５３，５４が設けられている。これらの第１、第２スライド側磁石５３，５４は、開閉スライダー１５の矢印Ａに沿ったスライド方向の前後に並列配置されている。
【００７６】
ここで、図１５（Ａ）に示すように、カバー部材３０のカバー側磁石５１，５２に対して、開閉スライダー１５の第１、第２スライド側磁石５３，５４のうち、第１磁石５３Ａ，５４Ａが配置されているとき、カバー部材３０は閉じられている状態である。
【００７７】
すなわち、カバー部材３０は閉じられている状態のとき、カバー側磁石５１，５２の開閉スライダー１５側に極性Ｎが配置されているのに対して、第１、第２スライド側磁石５３，５４のうち、第１磁石５３Ａ，５４Ａが配置されている。第１磁石５３Ａ，５４Ａでは、極性Ｎに対して互いに引き合う極性Ｓが配置された状態である。
【００７８】
カバー部材３０が閉じられている状態から、開閉スライダー１５を矢印Ｂで示すスライド方向にスライドさせると、開閉スライダー１５の第２磁石５３Ｂ，５４Ｂがカバー側磁石５１，５２に近づく。
そうすると、カバー側磁石５１，５２の極性Ｎに対して、開閉スライダー１５の第２磁石５３Ｂ，５４Ｂの極性がＮなので、互いに反発しあい、その結果、カバー部材３０が開閉スライダー１５の第２磁石５３Ｂ，５４Ｂにより、矢印Ｂ方向に示すように外方に押し出される。つまり、カバー部材３０が開かれる。
【００７９】
次に、前記第３実施形態の収納部用カバー装置５０の動作を説明する。
図１４（Ａ）、図１５（Ａ）に示すように、カバー部材３０のカバー側磁石５１と、第１スライド側磁石５３の第１磁石５３Ａとが互いの磁力で引き合っており、これによって、カバー部材３０は閉じられている状態である。
【００８０】
この状態から、操作者は、図１４（Ｂ）、図１５（Ｂ）に示すように、開閉スライダー１５のレバー部１５Ａを掴んで矢印Ｂで示すスライド方向に沿ってスライドさせる。そうすると、カバー側磁石５１，５２の極性Ｎに対して、開閉スライダー１５の第２磁石５３Ｂ，５４Ｂの極性がＮなので、互いに反発しあい、その結果、カバー部材３０が開閉スライダー１５の第２磁石５３Ｂ，５４Ｂにより、矢印Ｂ方向に示すように外方に押し出される。つまり、図１５（Ｃ）に示すように、カバー部材３０が開かれる。
【００８１】
なお、本実施形態では、カバー部材３０にカバー側磁石５１，５２を設け、このカバー側磁石５１，５２に対応するように、開閉スライダー１５に第１、第２スライド側磁石５３，５４を設けたが、両者を逆にしてもよい。
すなわち、カバー部材３０に第１、第２スライド側磁石５３，５４に相当する並列配置の磁石を設け、開閉スライダー１５にカバー側磁石５１，５２に相当する磁石を設けてもよい。
また、いずれの場合でも、極性の配置は自由である。さらに、磁石５１，５２の極性を判別するため、色を付ける等、印をつけておくと組立の際に便利である。
【００８２】
本第３実施形態のカバー装置５０は、以上のように構成されているので、前記第１実施形態の（１）〜（３）、（５）〜（８）と略同様の効果を得ることができる他、次に述べるような効果を得ることができる。
【００８３】
（９）カバー部材３０にカバー側磁石５１，５２を設け、開閉スライダー１５に、カバー側磁石５１，５２に対応する第１、第２スライド側磁石５３，５４を設けたので、前記第１、第２実施形態の第１、第２スライドツメ部１３，１４、カバー部材３０の第１、第２カバーツメ部３３，３４、第１、第２ガイド部３６，３７が不要となる。その結果、使用部材を少なくすることができ、且つ簡単な構成でカバー部材３０を押し出すことができる。
【００８４】
以上、前記各実施形態を参照して本発明を説明したが、本発明は前記各実施形態に限定されるものではない。本発明の構成や詳細については、当業者が理解し得るさまざまな変更を加えることができる。また、本発明には、前記各実施形態の構成の一部又は全部を相互に適宜組み合わせたものも含まれる。
【００８５】
例えば、前記第１実施形態では、開閉スライダー１５を常時一方向に付勢する付勢手段として、本体部１１の支持部１１Ｅと開閉スライダー１５の一側面とに設けられたコイルスプリング２０で構成したが、これに限らない。例えば、開閉スライダー１５を本体部１１に取付けた引張りバネで常時一方向に引張って付勢する構成としてもよい。
【００８６】
また、前記第２実施形態では、カバー部材３０のリブ４３，４４に、本体部１１のボス４１，４２に装着した板ばね４５を係合させ、その板ばね４５の付勢力により、カバー部材３０を開くような構成としていたが、これに限らない。本体部１１に、カバー部材３０の裏面を押圧するようにして圧縮バネを取り付けておき、開閉スライダー１５の第１、第２可動ツメ部１３，１４と、カバー部材３０の第１、第２固定ツメ部３３，３４との係合が解除されたとき、圧縮バネの付勢力によりカバー部材３０を収納部１１Ａから離れる方向に押圧するように構成してもよい。
【産業上の利用可能性】
【００８７】
本発明は、例えばＰＣカードを使用するノートパソコン等において、ＰＣカードを収納する収納部をカバー部材で覆う際に利用できる。
【符号の説明】
【００８８】
１０  収納部用カバー装置（第１実施形態）
１１  本体部
１１Ａ  収納部
１２  スライド側係合部
１３  第１スライド側ツメ部材
１４  第２スライド側ツメ部材
１５  スライド部材である開閉スライダー
２０  コイルスプリング
３０  カバー部材
３１  シール部材
３２  カバー側係合部
３３  第１カバー側ツメ部材
３４  第２カバー側ツメ部材
３６  第１ガイド部材
３７  第２ガイド部材
４０  収納部用カバー装置（第２実施形態）
４１  第１ボス
４２  第２ボス
４３  第１リブ
４４  第２リブ
４５  板バネ
５０  収納部用カバー装置（第３実施形態）
５１  カバー側磁石
５２  カバー側磁石
５３  第１スライド側磁石
５４  第２スライド側磁石
１００  ＰＣカード
【図１】
2011008608.tif 000003
【図２】
2011008608.tif 000004
【図３】
2011008608.tif 000005
【図４】
2011008608.tif 000006
【図５】
2011008608.tif 000007
【図６】
2011008608.tif 000008
【図７】
2011008608.tif 000009
【図８】
2011008608.tif 000010
【図９】
2011008608.tif 000011
【図１０】
2011008608.tif 000012
【図１１】
2011008608.tif 000013
【図１２】
2011008608.tif 000014
【図１３】
2011008608.tif 000015
【図１４】
2011008608.tif 000016
【図１５】
2011008608.tif 000017
【図１６】
2011008608.tif 000018